(57)【要約】【課題】電子棚札が取り外されたことを検出する。【解決手段】棚札端末５は、商品棚の取付部に装着検出スイッチ５９を有しており、商品棚に装着した場合にオンし、取り外した場合にオフするようになっている。棚札端末５は、装着検出スイッチ５９がオンした場合には、管理サーバ２に装着信号を送信し、オフした場合には取り外し信号を送信するようになっており、これによって管理サーバ２は、棚札端末５が商品棚に装着されているのか取り外されたのかを判断することができる。また、管理サーバ２は、棚札端末５にモード切替信号を送信することにより、通常モードと緊急モードを設定することができる。棚札端末５は、通常モードでは、取り外されてから一定時間経過後に取り外し信号を送信し、当該一定時間内に再び装着された場合には取り外し信号を送信しない。【選択図】図１０
2010198291.tif 000002
【特許請求の範囲】
【請求項１】
棚に設置され、管理サーバにより取付状態を管理される電子棚札であって、
棚に設けられた取付部分に前記電子棚札の本体を取り付ける取付手段と、
前記取付手段が前記取付部分から外れた場合に、当該外れた旨の通知を前記管理サーバに送信する通知送信手段と、
を具備したことを特徴とする電子棚札。
【請求項２】
前記通知送信手段は、前記取付部分から外れた状態が所定時間以上持続した場合に、前記外れた旨の通知を前記管理サーバに送信することを特徴とする請求項１に記載の電子棚札。
【請求項３】
前記通知送信手段は、前記取付部分から外れた場合に、速やかに前記外れた旨の通知を前記管理サーバに送信することを特徴とする請求項１に記載の電子棚札。
【請求項４】
前記取付部分から外れた状態が所定時間以上持続した場合に前記外れた旨の通知を前記管理サーバに送信する通常モードと、前記取付部分から外れた場合に速やかに前記外れた旨の通知を前記管理サーバに送信する緊急モードのうちの何れかのモードの指定を受け付けるモード指定受付手段を具備し、
前記通知送信手段は、前記受け付けたモードにて送信することを特徴とする請求項１に記載の電子棚札。
【請求項５】
前記通知送信手段は、前記取付手段が取付部分に取り付けられた場合に、当該取り付けられた旨の通知を前記管理サーバに送信することを特徴とする請求項１から請求項４までの内の何れか１の請求項に記載の電子棚札。
【請求項６】
棚に設けられた取付部分に取り付けられた電子棚札の前記取付部分への取付状態を管理する管理サーバであって、
前記電子棚札から、当該電子棚札が前記取付部分から外れた旨の通知を受信する通知受信手段と、
前記通知を受信した場合に、当該電子棚札が取り付けられていた位置を提示する提示手段と、
を具備したことを特徴とする管理サーバ。
【請求項７】
前記提示手段は、前記通知を受信した場合に、速やかに当該電子棚札が取り付けられていた位置を提示することを特徴とする請求項６に記載の管理サーバ。
【請求項８】
前記電子棚札に対して、前記取付部分から外れた状態が所定時間以上持続した場合に前記外れた旨の通知を前記管理サーバに送信する通常モードと、前記取付部分から外れた場合に速やかに前記外れた旨の通知を前記管理サーバに送信する緊急モードと、の何れかを指定するモード指定手段を具備したことを特徴とする請求項６、又は請求項７に記載の管理サーバ。
【請求項９】
前記通信受信手段は、前記電子棚札から、前記取付部分から外れた場合に、速やかに前記外れた旨の通知を受信し、
前記外れた旨の通知を受信してから前記電子棚札が外れた状態が所定時間以上持続したか否かを判断する判断手段を具備し、
前記提示手段は、前記通知を受信した後、前記判断手段が前記電子棚札が外れた状態が所定時間以上持続したと判断した場合に、当該電子棚札が取り付けられていた位置を提示することを特徴とする請求項６に記載の管理サーバ。
【請求項１０】
前記判断手段は、前記外れた旨の通知を受信してから前記取付部分に取り付けられた旨の通知を前記電子棚札から前記所定時間以内に受信しなかった場合に、前記外れた旨の通知を受信してから前記電子棚札が外れた状態が所定時間以上持続したと判断することを特徴とする請求項９に記載の管理サーバ。
【請求項１１】
前記外れた旨の通知を受信した場合に、前記提示手段が、速やかに当該電子棚札が取り付けられていた位置を提示するモードを具備したことを特徴とする請求項９、又は請求項１０に記載の管理サーバ。
【請求項１２】
棚に設けられた取付部分によって本体が前記棚に設置され、管理サーバにより取付状態を管理される電子棚札用の電子棚札プログラムであって、
本体が前記取付部分から外れたことを検出する検出機能と、
前記検出機能によって取り外されたことが検出された場合に、当該外れた旨の通知を前記管理サーバに送信する通知送信機能と、
をコンピュータで実現する電子棚札プログラム。
【請求項１３】
棚に設けられた取付部分に取り付けられた電子棚札の前記取付部分への取付状態を管理する管理サーバ用の管理プログラムであって、
前記電子棚札から、当該電子棚札が前記取付部分から外れた旨の通知を受信する通知受信機能と、
前記通知を受信した場合に、当該電子棚札が取り付けられていた位置を提示する提示機能と、
をコンピュータで実現する管理プログラム。
【発明の詳細な説明】
【技術分野】
【０００１】
本発明は、電子棚札、管理サーバ、電子棚札プログラム、及び管理プログラムに関し、例えば、棚から外れた場合に、これを管理サーバで検出するものに関する。
【背景技術】
【０００２】
店舗では、商品の価格などを表示した棚札を商品棚に設置し、顧客の便宜を図っている。
これら棚札は、一般に、紙媒体に印字したり、手書きしたりして作成されるが、近年では、液晶表示部に商品情報を表示する電子棚札が用いられるようになってきた。
電子棚札は、例えば、赤外線などにより表示情報を受信し、これを液晶表示部に表示する。
【０００３】
このような電子棚札に関する技術として次の特許文献１の「棚札装置及び棚札用フレーム」がある。
この技術は、電子棚札に顧客の注意を引くメッセージなどを表示する欄を設けたものである。
また、特許文献２の「情報表示装置」のように非常事態に避難経路を表示するものも提案されている。
【０００４】
サーバー装置と、数台の送信装置（中継機）と、多数の固定設置されている受信装置（棚札端末）の構成で運用される電子棚札システムにおいて、電子棚札は設置している商品棚から比較的簡単に取り外せてしまうため、棚札本体の盗難や、落下紛失等の心配があり、代替品を用意するまで商品情報の表示ができなくなる可能性があった。
【先行技術文献】
【特許文献】
【０００５】
【特許文献１】特開２００５−４０３３４公報
【特許文献２】特開平１０−２８９３９０号公報
【発明の概要】
【発明が解決しようとする課題】
【０００６】
本発明は、電子棚札が取り外されたことを検出することを目的とする。
【課題を解決するための手段】
【０００７】
本発明は、前記目的を達成するために、請求項１に記載の発明では、棚に設置され、管理サーバにより取付状態を管理される電子棚札であって、棚に設けられた取付部分に前記電子棚札の本体を取り付ける取付手段と、前記取付手段が前記取付部分から外れた場合に、当該外れた旨の通知を前記管理サーバに送信する通知送信手段と、を具備したことを特徴とする電子棚札を提供する。
請求項２に記載の発明では、前記通知送信手段は、前記取付部分から外れた状態が所定時間以上持続した場合に、前記外れた旨の通知を前記管理サーバに送信することを特徴とする請求項１に記載の電子棚札を提供する。
請求項３に記載の発明では、前記通知送信手段は、前記取付部分から外れた場合に、速やかに前記外れた旨の通知を前記管理サーバに送信することを特徴とする請求項１に記載の電子棚札を提供する。
請求項４に記載の発明では、前記取付部分から外れた状態が所定時間以上持続した場合に前記外れた旨の通知を前記管理サーバに送信する通常モードと、前記取付部分から外れた場合に速やかに前記外れた旨の通知を前記管理サーバに送信する緊急モードのうちの何れかのモードの指定を受け付けるモード指定受付手段を具備し、前記通知送信手段は、前記受け付けたモードにて送信することを特徴とする請求項１に記載の電子棚札を提供する。
請求項５に記載の発明では、前記通知送信手段は、前記取付手段が取付部分に取り付けられた場合に、当該取り付けられた旨の通知を前記管理サーバに送信することを特徴とする請求項１から請求項４までの内の何れか１の請求項に記載の電子棚札を提供する。
請求項６に記載の発明では、棚に設けられた取付部分に取り付けられた電子棚札の前記取付部分への取付状態を管理する管理サーバであって、前記電子棚札から、当該電子棚札が前記取付部分から外れた旨の通知を受信する通知受信手段と、前記通知を受信した場合に、当該電子棚札が取り付けられていた位置を提示する提示手段と、を具備したことを特徴とする管理サーバを提供する。
請求項７に記載の発明では、前記提示手段は、前記通知を受信した場合に、速やかに当該電子棚札が取り付けられていた位置を提示することを特徴とする請求項６に記載の管理サーバを提供する。
請求項８に記載の発明では、前記電子棚札に対して、前記取付部分から外れた状態が所定時間以上持続した場合に前記外れた旨の通知を前記管理サーバに送信する通常モードと、前記取付部分から外れた場合に速やかに前記外れた旨の通知を前記管理サーバに送信する緊急モードと、の何れかを指定するモード指定手段を具備したことを特徴とする請求項６、又は請求項７に記載の管理サーバを提供する。
請求項９に記載の発明では、前記通信受信手段は、前記電子棚札から、前記取付部分から外れた場合に、速やかに前記外れた旨の通知を受信し、前記外れた旨の通知を受信してから前記電子棚札が外れた状態が所定時間以上持続したか否かを判断する判断手段を具備し、前記提示手段は、前記通知を受信した後、前記判断手段が前記電子棚札が外れた状態が所定時間以上持続したと判断した場合に、当該電子棚札が取り付けられていた位置を提示することを特徴とする請求項６に記載の管理サーバを提供する。
請求項１０に記載の発明では、前記判断手段は、前記外れた旨の通知を受信してから前記取付部分に取り付けられた旨の通知を前記電子棚札から前記所定時間以内に受信しなかった場合に、前記外れた旨の通知を受信してから前記電子棚札が外れた状態が所定時間以上持続したと判断することを特徴とする請求項９に記載の管理サーバを提供する。
請求項１１に記載の発明では、前記外れた旨の通知を受信した場合に、前記提示手段が、速やかに当該電子棚札が取り付けられていた位置を提示するモードを具備したことを特徴とする請求項９、又は請求項１０に記載の管理サーバを提供する。
請求項１２に記載の発明では、棚に設けられた取付部分によって本体が前記棚に設置され、管理サーバにより取付状態を管理される電子棚札用の電子棚札プログラムであって、本体が前記取付部分から外れたことを検出する検出機能と、前記検出機能によって取り外されたことが検出された場合に、当該外れた旨の通知を前記管理サーバに送信する通知送信機能と、をコンピュータで実現する電子棚札プログラム。
請求項１３に記載の発明では、棚に設けられた取付部分に取り付けられた電子棚札の前記取付部分への取付状態を管理する管理サーバ用の管理プログラムであって、前記電子棚札から、当該電子棚札が前記取付部分から外れた旨の通知を受信する通知受信機能と、前記通知を受信した場合に、当該電子棚札が取り付けられていた位置を提示する提示機能と、をコンピュータで実現する管理プログラムを提供する。
【発明の効果】
【０００８】
電子棚札にセンサを設け、これによって取り外されたことを検出し、管理サーバに通知する。
【図面の簡単な説明】
【０００９】
【図１】電子棚札システムのネットワーク構成の一例を示した図である。
【図２】管理サーバ、中継機、及び棚札端末のハードウェア的な構成の一例を示した図である。
【図３】管理サーバの機能的な構成を示した図である。
【図４】棚札端末の機能的な構成を示した図である。
【図５】棚札情報の論理的な構成の一例を示した図である。
【図６】店内レイアウト情報を表示した店内レイアウト画面を示した図である。
【図７】緊急モードでの店内レイアウト画面の表示を示した図である。
【図８】棚札端末の正面斜視図を示した図である。
【図９】棚札端末の裏面斜視図を示した図である。
【図１０】棚札端末を側面から見た断面図を示した図である。
【図１１】アタッチメントの斜視図を示した図である。
【図１２】棚札端末をアタッチメントに取り付けた状態で、棚札端末を側面から見た断面図を示した図である。
【図１３】棚札端末が通常モードにて着脱を検出する手順を説明するためのフローチャートである。
【図１４】棚札端末のモード設定の手順を説明するためのフローチャートである。
【図１５】変形例１で管理サーバが棚札端末の取り外しの報知を行う手順を説明するためのフローチャートである。
【図１６】変形例２で管理サーバが棚札端末の取り外しの報知を行う手順を説明するためのフローチャートである。
【発明を実施するための形態】
【００１０】
（１）実施形態の概要
棚札端末５（図１０）は、商品棚の取付部に装着検出スイッチ５９を有しており、商品棚に装着した場合にオンし、取り外した場合にオフするようになっている。
棚札端末５は、装着検出スイッチ５９がオンした場合には、管理サーバ２（図１）に装着信号を送信し、オフした場合には取り外し信号を送信するようになっており、これによって管理サーバ２は、棚札端末５が商品棚に装着されているのか取り外されたのかを判断することができる。
【００１１】
また、管理サーバ２は、棚札端末５にモード切替信号を送信することにより、通常モードと緊急モードを設定することができる。
棚札端末５は、通常モードでは、取り外されてから一定時間経過後に取り外し信号を送信し、当該一定時間内に再び装着された場合には取り外し信号を送信しない。
【００１２】
このため、通常モードでは、店舗の担当者による一時的な取り外しや落下などによる不測の取り外しを区別して取り外し信号を送信することができる。
そして、管理サーバ２は、棚札端末５から取り外し信号を受信すると、当該棚札端末５の棚札番号と店内レイアウトを照合し、当該棚札端末５の位置を店舗の担当者に表示する。
【００１３】
一方、緊急モードでは、「要救護者は最寄りの棚札を取り外して下さい」などと館内アナウンスが流され、要救護者が身近にある棚札端末５を取り外すと、棚札端末５は、速やかに取り外し信号を管理サーバ２に送信する。
管理サーバ２は、棚札端末５から取り外し信号を受信すると、店舗の担当者に当該棚札端末５の位置を表示し、速やかに救護に向かうことができる。
【００１４】
（２）実施形態の詳細
図１は、本実施の形態の電子棚札システム１のネットワーク構成の一例を示した図である。
電子棚札システム１は、管理サーバ２、中継機３ａ、３ｂ、・・・（以下、中継機３）、電子棚札として機能する棚札端末５、５、・・・（以下、棚札端末５）などから構成されている。
中継機３と棚札端末５は、無線通信し、無線としてはＲＦ（Ｒａｄｉｏ  Ｆｒｅｑｕｅｎｃｙ）や赤外線などを用いることができる。
電子棚札システム１は、例えば、大型小売店舗に設置された場合、１日のうち、１〜２時間程度が棚札端末５の表示内容の書き換えに用いられ、その他の期間は表示の書き換えは行わずに同期が維持されている。
【００１５】
管理サーバ２は、棚札端末５と通信し、これらの表示内容を設定するアプリケーションを備えたサーバであり、例えば、店舗の事務所などに設置されている。
管理サーバ２は、有線ＬＡＮ（Ｌｏｃａｌ  Ａｒｅａ  Ｎｅｔｗｏｒｋ）または無線ＬＡＮによって、中継機３と通信し、これら中継機３を介して棚札端末５と通信する。
管理サーバ２は、棚札端末５と通信してこれらの表示を書き換えるほか、棚札端末５に設けられたセンサによる検出値を受信し、これによって商品棚への設置状況を監視している。
【００１６】
中継機３は、例えば、店舗の天井や柱などに設置され、管理サーバ２とＬＡＮによる通信を行うと共に、近辺に存在する棚札端末５と近距離の無線通信を行い、管理サーバ２と棚札端末５の通信を中継する。
このように、管理サーバ２と棚札端末５の通信を中継機３に中継させるのは、棚札端末５に中継機３との近距離無線通信を行わせたほうが、棚札端末５に管理サーバ２との遠距離の無線通信を行わせる場合よりも棚札端末５の消費電力を低減することができるためである。
【００１７】
中継機３は、通信タイミングが重ならないように従属位相同期を行っている。
即ち、中継機３のグループ内で親中継機を１台設定し、１つの中継機３のグループは、親中継機を頂点とする根構造を形成し、子中継機は親中継機が送信する同期信号を監視することにより従属同期を行う。
例えば、中継機３ｂ、３ｃ（子中継機）は、中継機３ａ（親中継機）が棚札端末５に送信する同期信号を受信し、この受信タイミングを基準として、自己の同期信号を送信する。
【００１８】
棚札端末５は、無線端末で構成された電子棚札であって、店舗の棚などに設置されて、液晶画面に商品の名称や価格などを表示するアプリケーションを搭載している。
棚札端末５は、何れかの中継機３に対応づけられており、棚札端末５は自己が対応づけられた中継機３と通信する。
例えば、中継機３ａには、棚札端末群６ａ内の棚札端末５が中継機３ａと通信するように設定されている。
【００１９】
これら設定は、棚札端末５が商品棚に設置された際に、棚札端末５に周囲の中継機３をサーチさせて最も電波状態のよい中継機３を検出させて管理サーバ２に報告させ、管理サーバ２がこれら棚札端末５と中継機３を紐づけることにより行われる。なお、この対応づけ処理は参加などと呼ばれる。
【００２０】
また、棚札端末５は、商品棚に取り付けられているか、あるいは取り外されたかを検知するセンサを備えており、棚札端末５が取り外された場合には、取り外し信号を管理サーバ２に送信し、装着された場合には装着信号を管理サーバ２に送信する。
これらの信号には、棚札端末５の端末ＩＤが含まれており、管理サーバ２は、これらの信号により、どの棚札端末５が取り外されたのか、あるいは装着されたのかを認識することができる。
【００２１】
図２は、管理サーバ２、中継機３、及び棚札端末５のハードウェア的な構成の一例を示した図である。
管理サーバ２は、ＣＰＵ２１、ＲＡＭ２２、記憶媒体２３、クロック２４、表示部２５、操作部２６、ＬＡＮ接続Ｉ／Ｆ（インターフェース）２７などから構成されている。
ＣＰＵ２１は、記憶媒体２３などに記憶されたプログラムを実行して各種演算や管理サーバ２の各部を制御する中央処理装置である。
ＲＡＭ２２は、ＣＰＵ２１に対してワーキングメモリを提供するランダムアクセスメモリである。
【００２２】
記憶媒体２３は、例えば、ハードディスクや半導体装置などによって構成されており、各種のプログラムやデータを記憶しており、本実施の形態では、棚札端末５をグループ分けして通信するためのプログラムや、棚札端末５を登録したデータベースや店内のレイアウトと棚札端末５の取付状況を記録したデータベースなどが記憶されている。
クロック２４は、例えば、水晶発振器などによって構成され、クロック信号を生成する。
【００２３】
表示部２５は、例えば、液晶ディスプレイなどによって構成されており、担当者が管理サーバ２を操作する際の操作画面などの各種画面を表示する。
操作部２６は、例えば、キーボードやマウスなどの操作端末を備えており、担当者から管理サーバ２の操作を受け付ける。
ＬＡＮ接続Ｉ／Ｆ２７は、有線、または無線ＬＡＮであり、中継機３との通信を行う。
【００２４】
中継機３は、ＣＰＵ３１、ＲＡＭ３２、記憶媒体３３、クロック３４、ＬＡＮ接続Ｉ／Ｆ３５、近距離無線Ｉ／Ｆ３６などを備えている。
ＣＰＵ３１は、記憶媒体３３などに記憶されたプログラムを実行して中継機能を発揮したり中継機３の各部を制御する中央処理装置である。
ＲＡＭ３２は、ＣＰＵ３１に対してワーキングメモリを提供するランダムアクセスメモリであり、管理サーバ２から送信されてきた情報を棚札端末５に対して送信する際に、これを一時的に記憶したりする。
【００２５】
記憶媒体３３は、例えば、半導体装置などによって構成されており、各種のプログラムやデータを記憶しており、本実施の形態では、管理サーバ２と棚札端末５の通信を中継するためのプログラムや、自己の固有情報である中継機ＩＤなどを記憶している。
クロック３４は、例えば、水晶発振器などによって構成され、クロック信号を生成する。
ＬＡＮ接続Ｉ／Ｆ３５は、有線、または無線ＬＡＮであり、管理サーバ２との通信を行う。
近距離無線Ｉ／Ｆ３６は、棚札端末５と近距離の無線通信を行う。
【００２６】
棚札端末５は、ＣＰＵ５１、ＲＡＭ５２、記憶媒体５３、クロック５４、表示部５５、近距離無線Ｉ／Ｆ５６、バッテリ５７、装着検出スイッチ５９などから構成されている。
ＣＰＵ５１は、記憶媒体５３などに記憶されたプログラムを実行して電子棚札機能を発揮したり棚札端末５の各部を制御する中央処理装置である。
ＲＡＭ５２は、ＣＰＵ５１に対してワーキングメモリを提供するランダムアクセスメモリであり、電子棚札システム１に参加する際に自分が対応づけられた中継機３の中継機ＩＤや、同期信号、その他のデータを記憶する。
【００２７】
記憶媒体５３は、例えば、半導体装置などによって構成されており、各種のプログラムやデータを記憶しており、本実施の形態では、中継機３を介して管理サーバ２と通信し、表示部５５に表示を行うアプリケーションなどのプログラムや、自己固有情報である端末ＩＤなどを記憶している。
【００２８】
クロック５４は、例えば、水晶発振器などによって構成されており、棚札端末５が各種処理を行うためのタイミングをとったり時間を計測したりするのに用いられる。
表示部５５は、例えば、メモリ性液晶表示装置を用いて構成されており、表示内容の書き換え時に電力を消費し、表示期間中は電力を消費しないように構成されている。
【００２９】
近距離無線Ｉ／Ｆ５６は、中継機３と近距離の無線通信を行う。
バッテリ５７は、例えば、所謂ボタン電池などで構成されており、棚札端末５が駆動するための電力を供給する。
【００３０】
装着検出スイッチ５９は、棚札端末５が商品棚に取り付けられているか否かを検出するためのスイッチである。このように、棚札端末５は、当該検出機能を有しており、検出値は管理サーバ２に送信され、これによって管理サーバ２は棚札端末５の設置状況を得ることができる。
なお、本実施の形態では、後述するように、商品棚にアタッチメントを取り付け、これに棚札端末５を取り付けるが、棚札端末５を直接商品棚に取り付けるように構成してもよい。
【００３１】
図３は、管理サーバ２の機能的な構成を示した図である。
表示部２５、操作部２６、及びＬＡＮ接続Ｉ／Ｆ２７は、先に説明した通りである。
棚札情報記憶部７２と店内レイアウト記憶部７３は、記憶媒体２３（図２）のデータベースによって形成されている。
棚札情報記憶部７２は、棚札端末５の端末ＩＤや表示内容、及び棚札端末５が設置された商品棚など、個々の棚札端末５に関する情報を記憶しており、店内レイアウト記憶部７３は、店舗内の商品棚の配置などを記憶している。
【００３２】
制御部７１、札状態判定部７４、モード設定部７５、時間計測部７６は、アプリケーションプログラムをＣＰＵ２１で実行することにより構成されている。
制御部７１は、各機能部を制御し、管理サーバ２が棚札端末５を管理する機能を発揮させる機能部である。
札状態判定部７４は、棚札端末５から送信されてくる装着信号や取り外し信号によって、棚札端末５が商品棚に取り付けられているか、あるいは外れているかの札状態を判定する。
【００３３】
モード設定部７５は、操作部２６から担当者の操作を受け付けて、通常モードと緊急モードの何れかを設定し、モード切替信号を棚札端末５に送信する。
これにより、棚札端末５は、通常モードあるいは緊急モードに設定される。
棚札端末５は、通常モードでは、棚札端末５が商品棚から外れてから所定時間（例えば、１５秒間）経過後に取り外し信号を送信し、当該所定時間内に棚札端末５が再度商品棚に装着された場合には取り外し信号を送信しない。尚、ここでは通常モードと緊急モードの切り替えは担当者の操作として説明したが、地震計や緊急地震速報装置、火災報知器などと連動し、自動で切り替えても良い。
【００３４】
このように通常モードで一定期間取り外し信号の送信を猶予するのは、店員が棚札端末５を別の商品棚に付け替えたり、あるいは、棚札端末５を一端取り外して再装着することにより棚札端末５をリセットしたり（棚札端末５はこのようなリセット機能を備えている）など、棚札端末５を一時的に商品棚から外した場合と、棚札端末５が商品棚から意図せず外れてしまった場合を区別するためである。
【００３５】
一方、緊急モードでは、棚札端末５が商品棚から外れた場合には、速やかに棚札端末５が商品棚から外れたと判定する。
これは、店舗内で緊急事態が生じた場合に、救助を必要とする人が最寄りの棚札端末５を外すことにより、救助の必要性を店舗側に知らせるためである。
【００３６】
時間計測部７６は、例えば、後述する変形例で時間を計測するのに用いられる。
詳細は後述するが、変形例では、棚札端末５は、モードの設定を行わず、取り外されると取り外し信号を管理サーバ２に送信する。
管理サーバ２は、通常モード時に取り外し信号を受信すると、時間計測部７６で時間を計測して所定時間待機し、その間に装着信号が送信されてきた場合には取り外されたとは判断しないが、所定時間内に装着信号を受信しなかった場合は、棚札端末５が取り外されたと判断してその旨を表示する。
一方、管理サーバ２は、緊急モード時に棚札端末５が取り外されると、速やかにその旨を表示する。
【００３７】
図４は、棚札端末５の機能的な構成を示した図である。
表示部５５、近距離無線Ｉ／Ｆ５６、装着検出スイッチ５９は、先に説明した通りである。
制御部８１、取り外し検出部８４、及び時間計測部８５は、アプリケーションプログラムをＣＰＵ５１で実行することにより構成されている。
また、個別情報記憶部８３は、ＲＡＭ５２（図２）や記憶媒体５３などに形成されている。
制御部８１は、各機能部を制御し、棚札端末５に電子棚札としての機能を発揮させる機能部である。
【００３８】
取り外し検出部８４は、装着検出スイッチ５９のオンオフを検出し、オフの場合には取り外された旨の信号を制御部８１に通知し、オンの場合には、装着された旨の信号を制御部８１に通知する。
このように、取り外し検出部８４と装着検出スイッチ５９は、棚札端末５が商品棚に装着されているか否かを検出する装着センサとして機能している。
個別情報記憶部８３は、記憶媒体５３（図２）に形成されており、端末ＩＤやその他の情報を記憶している。
【００３９】
時間計測部８５は、通常モードにおいて、装着検出スイッチ５９がオフしてからの所定時間を計測する。
制御部８１は、装着検出スイッチ５９がオフしてから所定時間内に装着検出スイッチ５９がオンした場合には、取り外し信号を送信せず、装着検出スイッチ５９がオフしてから所定時間が経過すると取り外し信号を送信する。
なお、変形例では、装着検出スイッチ５９がオフすると制御部８１は、取り外し信号を管理サーバ２に送信するため時間計測部８５は用いない。
【００４０】
図５は、棚札情報記憶部７２（図３）に記憶されている棚札情報の論理的な構成の一例を示した図である。
棚札情報は、棚札番号、端末ＩＤ、商品、価格、棚位置情報などの項目から構成されている。
端札番号は、管理サーバ２が棚札端末５に付与した棚札端末５に固有の番号である。
端末ＩＤは、棚札端末５のＩＤ情報である端末ＩＤである。棚札番号と端末ＩＤは、何れも棚札端末５に固有な値であるため、何れか一方を用いるように構成してもよい。
【００４１】
商品は、棚札端末５が対応づけられている商品の品目である。商品の品目は、例えば、ビスケット、チョコレート、石けん、・・・など、商品を表している。
価格は、棚札端末５が対応づけられている商品の価格、棚位置情報は、棚札端末５が取り付けられている商品棚の番号である。例えば、棚札番号“Ｔ−１”、端末ＩＤ“１０００１”、の棚札は、「ビスケット」の価格「１８０」円を表示し、棚番号１−１の１番目の棚位置に設置されていることを示している。
【００４２】
図６は、店内レイアウト記憶部７３（図３）に記憶されている店内レイアウト情報を表示部２５に表示した店内レイアウト画面９１を示している。この表示は通常モードでの表示である。
店内レイアウト画面９１では、矩形で表された商品棚のレイアウトと矩形の中に表示された商品棚の棚番号が店内レイアウト情報に従って表示される。
なお、店内レイアウト画面９１では商品棚の棚番号が「１−１」などの番号で示されているが、実際には更に細かく「１−１−１」などとより詳細に区分して表示してもよい。
【００４３】
商品棚から外れた棚札端末５がある場合、管理サーバ２は、店内レイアウト画面９１にマーク９２を表示して、棚札端末５が外れた箇所を表示する。外れた棚札の位置を表示する場合、図６のように定められたマーク９２で表示する他に、当該位置の棚部分の表示色を他の表示色と変えたり、当該位置の棚部分を点滅表示させたり、これらの表示形態を組み合わせて表示させても良い。
また、商品棚のレイアウトの下にはコメント欄９３が設けられており、「棚番号５−２の棚札が外れています  至急確認をして下さい」などとコメントが表示される。この時に、外れた棚札の棚札番号や棚札に対応する商品名を同時に表示してもよい。
これらの表示により、店舗側は速やかな対応を行うことができる。
【００４４】
図７は、緊急モードでの店内レイアウト画面９１の表示を示した図である。
緊急モードでは、「災害モード表示中」などと緊急表示９４が成されると共に、「棚番号５−２の付近に要救護者がいます  至急救護に向かって下さい」などとコメント欄９６が表示される。緊急表示９４は、図のようにモード状態そのものを表示しても良いが、他に、通常時と画面の背景色を変えたり、通常時と棚の表示色を変えたり、これらを組み合わせて表示しても良い。また、コメント欄９６も棚札に対応する商品名、例えば「石けん売り場付近に要救護者がいます」などと表示してもよい。
要救護者が外した棚札端末５の位置はマーク９２で表されるので、この位置を目標として救護要員が救護に向かうことになる。なお、当該位置の棚部分の表示色を他の表示色と変えたり、当該位置の棚部分を点滅表示させたり、これらの表示形態を組み合わせて表示させても良い。
【００４５】
図８は、棚札端末５の正面斜視図を示した図である。
棚札端末５は、矩形形状を有する板型の本体の前面に液晶画面１０１が形成されており、裏面には、商品棚に設置されたアタッチメント（後述）に取り付ける取付部１０２が設けられている。
液晶画面１０１は、表示部５５（図２）により、商品名、商品価格及びその他の情報を表示する。
【００４６】
図９は、棚札端末５の裏面斜視図を示した図である。
棚札端末５の裏面には、取付部１０２が形成されている。
取付部１０２は、一端が棚札端末５の裏面から垂直方向に突出し、その先端はＬ字型に下方に伸びる板状の部材によって構成されており、棚札端末５の裏面との間に空間１０４が形成されている。
空間１０４の幅は、アタッチメントを挿入して、取付部１０２の弾性力により棚札端末５を固定できる値に設定されている。
空間１０４の内部、即ち、アタッチメントの取付場所には、装着検出スイッチ５９が設けられている。
【００４７】
図１０は、棚札端末５を側面から見た断面図を示した図である。
装着検出スイッチ５９は、棚札端末５が未装着の状態では、空間１０４内に突出してオフの状態になっている。
【００４８】
図１１は、アタッチメント１０７の斜視図を示した図である。
アタッチメント１０７は、商品棚の縁１１０に係合する棚係合部１０９と、取付部１０２の空間１０４に挿入して係合する札係合部１０８が設けられている。
アタッチメント１０７は、縁１１０に強固に取り付けられており、棚札端末５を取り外しする場合は、棚札端末５がアタッチメント１０７から外れ、アタッチメント１０７は縁１１０に残るようになっている。
このように、アタッチメント１０７は、アタッチメント１０７から棚札端末５が取り外しやすく、また、商品棚からアタッチメント１０７が取り外しにくいように設計されている。
【００４９】
図１２は、棚札端末５をアタッチメント１０７に取り付けた状態で、棚札端末５を側面から見た断面図を示した図である。
札係合部１０８が空間１０４に挿入され、札係合部１０８が装着検出スイッチ５９に当接して装着検出スイッチ５９を棚札端末５の内部方向に押下してこれをオンする。
なお、図では明確化のため空間１０４を描いているが、空間１０４は札係合部１０８により占められている。
【００５０】
このように、棚札端末５は、アタッチメント１０７を介して商品棚に装着される。
そして、アタッチメント１０７から外れている場合は装着検出スイッチ５９がオフし、アタッチメント１０７に装着されている場合にはオンするようになっており、装着検出スイッチ５９のオンオフにより棚札端末５がアタッチメント１０７に（即ち商品棚に）装着されているかあるいは外れているかを検出することができる。
【００５１】
なお、本実施の形態では、装着検出スイッチ５９のオンオフによって棚札端末５の装着状態を検出するように構成したが、他の方法により検出するように構成してもよい。
例えば、アタッチメント１０７に磁石を装着し、一方、棚札端末５にホール素子を設置し、ホール電圧によって装着状態を検出するように構成することもできる。また、受発光素子などを組み合わせて札係合部１０８の空間１０４への挿入を検出しても良い。
【００５２】
図１３は、棚札端末５が通常モードにて着脱を検出する手順を説明するためのフローチャートである。
以下の処理は、棚札端末５のＣＰＵ５１（図２）が所定のプログラムに従って行うものである。
棚札端末５は、装着検出スイッチ５９がオフすることにより取り外しを検出すると（ステップ５）、時間計測部８５によるタイマを起動し（ステップ１０）、取り外されてからの時間を計測する。
【００５３】
そして、棚札端末５は、装着検出スイッチ５９がオンすることにより棚札端末５が商品棚に再設置されたか否かを判断し（ステップ１５）、再設置が検出された場合には（ステップ１５；Ｙ）、液晶画面１０１の表示を再表示（セルフリフレッシュ）する（ステップ３０）。
一方、再設置が検出されなかった場合（ステップ１５；Ｎ）、棚札端末５は、タイムアップしたか否かを判断する（ステップ２０）。
【００５４】
タイムアップしていない場合（ステップ２０；Ｎ）、棚札端末５は、ステップ１５に戻り、再設置を検出する。
タイムアップした場合（ステップ２０；Ｙ）、棚札端末５は、管理サーバ２に取り外し信号を送信する（ステップ２５）。
【００５５】
以上のように、棚札端末５は、通常モードでは、棚札端末５が取り外されてもタイマで計測される一定時間の間に再度棚札端末５が取り付けられた場合には取り外し信号を管理サーバ２に送信しない。
このため、棚札端末５は、取付位置の変更や再表示などのために店舗の担当者が一時的に取り外した場合と、商品棚からの落下や盗難などの意図しない取り外しの場合を区別し、後者の場合に取り外し信号を送信することができる。
一方、緊急モードでは、タイマの起動を行わず、棚札端末５は、ステップ５の取り外しを検出すると、速やかにステップ２５の取り外し信号の送信を行う。
【００５６】
図１４は、棚札端末５のモード設定の手順を説明するためのフローチャートである。
管理サーバ２は、棚札端末５にモード切替信号を送信して棚札端末５の動作モードを変更できるようになっている。
まず、管理サーバ２は、モード切替信号を送信して、棚札端末５が通常モードで動作するように設定しておく。
これにより、棚札端末５は、平常時は通常モードにて動作する（ステップ５０）。
【００５７】
このように、棚札端末５が通常モードで動作している際に、店舗内で火災や地震などの緊急事態が発生すると、担当者が管理サーバ２を操作して棚札端末５にモード切替信号を送信し、棚札端末５を緊急モードで動作するように設定する。
これと共に、担当者は、「要救護のお客様は最寄りの電子棚札を取り外してください」などと店内アナウンスを行う。
【００５８】
棚札端末５は、管理サーバ２からモード切替信号による緊急モードの設定を受け付けたか否かを確認する（ステップ５５）。
緊急モードの設定を受け付けていない場合（ステップ５５；Ｎ）、棚札端末５は、ステップ５０に戻って通常モードでの動作を持続し、緊急モードの設定を受け付けた場合（ステップ５５；Ｙ）、棚札端末５は、緊急モードで動作する（ステップ６０）。
【００５９】
以上のように、棚札端末５は、商品棚（アタッチメント）に取り付けられているか否かを検出する。
そして、棚札端末５は、取り外されている場合には、通常モードの場合では、所定時間後に取り外し信号を管理サーバ２に送信し、緊急モードの場合には、取り外されると速やかに取り外し信号を管理サーバ２に送信する。
このように、棚札端末５は、通常モードにおいて、店舗の作業者による一時的な取り外しと、意図しない取り外しを区別して管理サーバ２に通知できるほか、緊急モードにおいて、救護を要する人からの通報を速やかに受けることができる。
【００６０】
（変形例１）
先に説明した実施の形態では、棚札端末５が通常モードと緊急モードの動作を切り替えていたが、本変形例では、棚札端末５の動作を変更せずに、管理サーバ２の処理で通常モードと緊急モードを実現する。
本変形例では、棚札端末５は、取り外されると速やかに取り外し信号を管理サーバ２に送信し、商品棚に装着されると速やかに装着信号を送信するようになっている。
【００６１】
一方、管理サーバ２は、通常モードにおいては、棚札端末５から取り外し信号を受信した場合、タイマを設定して所定時間待機する。
そして、所定時間内に棚札端末５から装着信号が送信されてきた場合、棚札端末５が取り外された旨の表示は行わず、所定時間内に棚札端末５から装着信号が送信されてこなかった場合、棚札端末５が取り外された旨の表示を行う。
【００６２】
また、管理サーバ２は、緊急モードにおいては、棚札端末５から取り外し信号が送信されてくると、速やかに棚札端末５が取り外された旨の表示を行う。
本変形例によると、棚札端末５にモード切り替え用のプログラムを搭載する必要がないが、取り外されるたびに取り外し信号を送信するため電力消費量は増大する。
【００６３】
図１５は、本変形例で管理サーバ２が棚札端末５の取り外しの報知を行う手順を説明するためのフローチャートである。
棚札端末５は、取り外されると、管理サーバ２に対して速やかに取り外し信号を送信する。
まず、管理サーバ２は、設定されたモード（通常モード、又は緊急モード）にて動作している。
この状態で、管理サーバ２は、棚札端末５から取り外し信号を受信したか否かを判断する（ステップ６５）。
【００６４】
取り外し信号を受信しない場合（ステップ６５；Ｎ）、管理サーバ２は、引き続きステップ６５にて取り外し信号を受信したか否かを監視する。
一方、取り外し信号を受信した場合（ステップ６５；Ｙ）、現在自己がどちらのモードに設定されているか判断する（ステップ７０）。
通常モードに設定されていた場合（ステップ７０；通常モード）管理サーバ２は、時間の計測を開始する（ステップ７５）。
【００６５】
そして、管理サーバ２は、棚札端末５から装着信号を受信したか否かを判断し（ステップ８０）、装着信号を受信した場合（ステップ８０；Ｙ）、ステップ６５にもどる。
一方、装着信号を受信しなかった場合（ステップ８０；Ｎ）、管理サーバ２は、計測している時間が所定時間内か否かを判断する（ステップ８５）。
所定時間内の場合（ステップ８５；Ｙ）、管理サーバ２は、ステップ８０に戻り、所定時間を経過した場合（ステップ８５；Ｎ）、管理サーバ２は、図６に示したように通常モードにて棚札端末５が取り外されたことを報知する（ステップ９０）。
【００６６】
また、ステップ７０で緊急モードに設定されていた場合（ステップ７０；緊急モード）、管理サーバ２は、時間の計測を行わず、図７に示したように、速やかに緊急モードにて棚札端末５が取り外されたことを報知する（ステップ９５）。
【００６７】
（変形例２）
本変形例では、棚札端末５は、通常モード、緊急モードを有さず、取り外されてから所定時間内に取り付けられない場合に取り外し信号を管理サーバ２に送信する。
棚札端末５は、所定時間内に取り付けられた場合には、取り外し信号を送信しない。
そして、管理サーバ２は、棚札端末５から取り外し信号を受信すると、通常モードの場合には通常モードで当該棚札端末５が取り外されたことを店舗の担当者に表示し、緊急モードの場合には緊急モードで当該棚札端末５が取り外されたことを表示する。
この例では、緊急時における取り外し信号の送信は遅くなるが、棚札端末５の消費電力を低減できるほか、管理サーバ２と棚札端末５の構成も単純になり、製造コストを低減することができる。
【００６８】
図１６は、本変形例で管理サーバ２が棚札端末５の取り外しの報知を行う手順を説明するためのフローチャートである。
棚札端末５は、取り外されると、所定時間内に取り付けられなかった場合、管理サーバ２に対して取り外し信号を送信するようになっている。
まず、管理サーバ２は、設定されたモード（通常モード、又は緊急モード）にて動作している。
この状態で、管理サーバ２は、棚札端末５から取り外し信号を受信したか否かを判断する（ステップ１０５）。
【００６９】
取り外し信号を受信しない場合（ステップ１０５；Ｎ）、管理サーバ２は、引き続きステップ１０５にて取り外し信号を受信したか否かを監視する。
一方、取り外し信号を受信した場合（ステップ１０５；Ｙ）、現在自己がどちらのモードに設定されているか判断する（ステップ１１０）。
通常モードに設定されていた場合（ステップ１１０；通常モード）管理サーバ２は、図６に示したように通常モードにて棚札端末５が取り外されたことを報知する（ステップ１１５）。
一方、緊急モードに設定されていた場合（ステップ１１０；緊急モード）、管理サーバ２は、図７に示したように、緊急モードにて棚札端末５が取り外されたことを報知する（ステップ１２０）。
【００７０】
以上、本実施の形態、及び変形例について説明したが、更なる各種の変形が可能である。
例えば、監視カメラと電子棚札システム１を連動させることが可能である。
この場合、管理サーバ２において、監視カメラと、当該監視カメラの監視領域に存在する棚札端末５を対応づけておく。
【００７１】
そして、管理サーバ２は、棚札端末５が取り外されると、当該棚札端末５の領域を監視している監視カメラの映像を表示する。
これにより、通常モードでは、棚札端末５に何が起きたのか確認することができ、緊急モードでは、要救護者の様子を即座に確認することができ、速やかに適切な対応を行うことが可能となる。
【００７２】
また、要救護者が棚札端末５を持ったまま移動する場合も考えられるため、棚札端末５が発する電波の強弱を複数の中継機３で検出し、これによって棚札端末５のおおよその位置を管理サーバ２に表示するように構成することもできる。
【００７３】
以上に説明した本実施の形態、及び変形例により、次のような効果を得ることができる。
（１）棚札端末５が取り外された場合、管理サーバ２は取り外された棚札端末５を速やかに特定することができる。
（２）通常モードと緊急モードを備えることにより、通常の営業時には棚札端末５の外れ防止システムとして、災害などの緊急時には要救護者補助システムとして活用することができる。
（３）棚札端末５が商品棚から取り外されてから、取り外されたと判断するまでに所定時間の猶予を設けることにより、一時的な取り外しの場合と、落下や盗難などによる意図しない取り外しを区別することができる。
（４）緊急モードで猶予期間を設けずに棚札端末５が取り外されたと判断することにより、迅速に救護に向かうことができる。
【００７４】
以上に、実施の形態、及び変形例１、２について説明したが、棚札端末５は、棚（商品棚）に設置され、管理サーバ２により取付状態を管理される電子棚札として機能している。
そして、アタッチメント１０７は、棚に設けられた取付部分として機能し、アタッチメント１０７を用いずに棚札端末５を商品棚に直付けする場合は、商品棚の取り付け部位が取付部分として機能しており、棚札端末５は、札係合部１０８などにより本体を取り付ける取付手段を備えている。
そして、棚札端末５は、取付手段が取付部分から外れた場合に、装着検出スイッチ５９などでこれを検出して当該外れた旨の通知（取り外し信号）を管理サーバ２に送信する通知送信手段を備えている。
【００７５】
そして、実施の形態の通常モード、及び変形例２では、取り外されている時間を計測することにより外れた状態が所定時間以上持続したか否かを判断しており、通知送信手段は、取付部分から外れた状態が所定時間以上持続した場合に、外れた旨の通知（取り外し信号）を管理サーバ２に送信する。
【００７６】
また、変形例１では、所定時間を管理サーバ２で計測し、棚札端末５の通知送信手段は、取付部分から外れた場合に、速やかに外れた旨の通知を管理サーバ２に送信する。
【００７７】
更に、実施の形態の棚札端末５は、取付部分から外れた状態が所定時間以上持続した場合に外れた旨の通知（取り外し信号）を管理サーバ２に送信する通常モードと、取付部分から外れた場合に速やかに外れた旨の通知（取り外し信号）を管理サーバ２に送信する緊急モードのうちの何れかのモードの指定をモード切替信号を受信して受付・設定するモード指定受付手段を備え、通知送信手段は、当該受け付けたモードにて取り外し信号を送信する。
【００７８】
また、通知送信手段は、取付手段が取付部分に取り付けられた場合に、当該取り付けられた旨の通知（装着信号）を管理サーバ２に送信する。
【００７９】
一方、管理サーバ２は、棚に設けられた取付部分に取り付けられた棚札端末５の取付部分への取付状態を管理し、棚札端末５から、当該棚札端末５が取付部分から外れた旨の通知（取り外し信号）を受信する通知受信手段と、当該通知を受信した場合に、当該棚札端末５が取り付けられていた位置を店内レイアウト画面９１などで提示する提示手段を備えている。
【００８０】
また、実施の形態や変形例２では、提示手段は、通知（取り外し信号）を受信した場合に、速やかに当該棚札端末５が取り付けられていた位置を提示する。
【００８１】
更に、実施の形態では、棚札端末５に対して、取付部分から外れた状態が所定時間以上持続した場合に外れた旨の通知（取り外し信号）を管理サーバ２に送信する通常モードと、取付部分から外れた場合に速やかに外れた旨の通知（取り外し信号）を管理サーバに送信する緊急モードと、の何れかを指定するモード切替信号を送信する。
【００８２】
また、変形例２では、通信受信手段は、棚札端末５が取付部分から外れた場合に、速やかに外れた旨の通知（取り外し信号）を受信し、取り外し信号を受信してから所定時間内に装着信号を受信するか否かを監視することより、外れた旨の通知（取り外し信号）を受信してから棚札端末５が外れた状態が所定時間以上持続したか否かを判断する判断手段を備えており、（通常モードにおいて）提示手段は、この通知（取り外し信号）を受信した後、判断手段が棚札端末５が外れた状態が所定時間以上持続したと判断した場合に、当該棚札端末５が取り付けられていた位置を提示する。
【００８３】
加えて、変形例２では、判断手段は、外れた旨の通知（取り外し信号）を受信してから取付部分に取り付けられた旨の通知（装着信号）を棚札端末５から所定時間以内に受信しなかった場合に、外れた旨の通知（取り外し信号）を受信してから棚札端末５が外れた状態が所定時間以上持続したと判断する。
【００８４】
また、変形例２では、外れた旨の通知（取り外し信号）を受信した場合に、提示手段が、速やかに当該棚札端末５が取り付けられていた位置を提示するモード（緊急モード）を備えている。
【符号の説明】
【００８５】
１  電子棚札システム
２  管理サーバ
３  中継機
５  棚札端末
６ａ、６ｂ、６ｃ  棚札端末群
２１  ＣＰＵ
２２  ＲＡＭ
２３  記憶媒体
２４  クロック
２５  表示部
２６  操作部
２７  ＬＡＮ接続Ｉ／Ｆ
３１  ＣＰＵ
３２  ＲＡＭ
３３  記憶媒体
３４  クロック
３５  ＬＡＮ接続Ｉ／Ｆ
３６  近距離無線Ｉ／Ｆ
５１  ＣＰＵ
５２  ＲＡＭ
５３  記憶媒体
５４  クロック
５５  表示部
５６  近距離無線Ｉ／Ｆ
５７  バッテリ
５９  装着検出スイッチ
７１  制御部
７２  棚札情報記憶部
７３  店内レイアウト記憶部
７４  札状態判定部
７５  モード設定部
７６  時間計測部
８１  制御部
８３  個別情報記憶部
８４  取り外し検出部
８５  時間計測部
９１  店内レイアウト画面
９２  マーク
９３  コメント欄
【図１】
2010198291.tif 000003
【図２】
2010198291.tif 000004
【図３】
2010198291.tif 000005
【図４】
2010198291.tif 000006
【図５】
2010198291.tif 000007
【図６】
2010198291.tif 000008
【図７】
2010198291.tif 000009
【図８】
2010198291.tif 000010
【図９】
2010198291.tif 000011
【図１０】
2010198291.tif 000012
【図１１】
2010198291.tif 000013
【図１２】
2010198291.tif 000014
【図１３】
2010198291.tif 000015
【図１４】
2010198291.tif 000016
【図１５】
2010198291.tif 000017
【図１６】
2010198291.tif 000018